(57)【要約】【課題】地図上に表示された送信地点から希望する送信地点を迅速に選択して受信アンテナの方向調整動作を行うＦＰＵリモコンシステムを提供する。【解決手段】地図２０と、その地図上に登録された送信地点（白丸印のアイコン）とを表示し、送信地点が複数ある場合に送信地点を絞り込みウインドウ３０で登録内容を検索して絞り込んでから表示４０し、表示された送信地点から希望する送信地点を選択し、選択された送信地点に応じて受信アンテナの方向調整動作を行う。【選択図】  図１
2004357108.tif 000002
【特許請求の範囲】
【請求項１】
指向性を有する信号を受信する受信アンテナの方向をリモートコントロールするＦＰＵリモコンシステムであって、地図と、その地図上に登録された送信地点とを表示し、該送信地点が複数ある場合に該送信地点を絞り込みウインドウで登録内容を検索して絞り込んでから表示し、表示された送信地点から希望する送信地点を選択し、選択された送信地点に応じて前記受信アンテナの方向調整動作を行うことを特徴とするＦＰＵリモコンシステム。
【発明の詳細な説明】
【０００１】
【発明の属する技術分野】
本発明は、指向性を有する信号を受信する受信アンテナの方向をコントロールするＦＰＵ（Ｆｉｅｌｄ  Ｐｉｃｋ−ｕｐ  Ｕｎｉｔ）リモコンシステムに関する。
【０００２】
【従来の技術】
ＦＰＵリモコンシステムにおいては、移動体に搭載されたように可搬形の送信装置から送信される指向性を有する信号、例えば、マイクロ波信号を受信する受信アンテナの方向調整動作を制御する。
【０００３】
従来、ＦＰＵリモコンシステムにおける受信アンテナの制御の方法としては、下記特許文献２の項目に掲げた特開平０６−６１９０４号公報に記載された技術がある。この技術は、所定の位置に対応する設定角データに基づいて、ＦＰＵ受信アンテナの水平角および垂直角を設定するものである。そして、特許文献２の段落００１６において、その従来における中継用無線設備では、操作者がキーボードから、地名及びこの地名に対するＦＰＵ受信アンテナの設定角データを含むプリセット情報等を入力するとしている。そして、特許文献２の段落００１８〜段落００２０において、所定の時刻になると、その入力された地名と、その地名に対する設定角データとが取り出されて、その取り出された設定角データに従ってＦＰＵ受信アンテナの角度が設定されるとしている。
【０００４】
また、下記特許文献１の項目に掲げた特開２０００−３４１２２４号公報には、ＦＰＵリモコンシステムの送信機と受信機の設置において、送信機を設置する設置地点を、受信基地局側のディスプレイ装置に表示される地図上に表示することが開示されている。その開示内容は、特許文献１の図１においても示されている。
【０００５】
【特許文献１】
特開２０００−３４１２２４号公報
【特許文献２】
特開平０６−６１９０４号公報
【０００６】
【発明が解決しようとする課題】
上述の従来技術には、複数の送信地点を登録して有る場合に、それら複数の登録された送信地点のうち、送信装置が搭載された移動体が存在し、その送信装置と受信装置とで通信を行おうとしている送信地点を選択し、該選択された送信地点の方向へ受信アンテナを向けるようにする場合に、その選択の方法については、なにも記載されていない。
【０００７】
図２は、複数登録された送信地点のうちの一つを選択し、選択された送信地点の方向へ受信アンテナを向ける方法の一例を説明するための図である。図２において、受信アンテナを方向調整するために、以下の操作が行われる。
（１）プリセットボタン１が押下げされることで、運用画面である方調画面１００の表示からプリセット画面１１０の表示に切り替わる。（２）プリセット画面１１０において、名称一覧リストから任意の送信地点の名称が選択される。
（３）その選択された状態で、方調開始ボタン２が押されることで、スタート確認ウィンドウ１２０が表示される。
（４）スタートボタン３が押されることで、プリセット方調が開始され、受信アンテナが選択された送信地点の方向へ向くように動かされる。そして、画面が切り替えられて方調画面１００の表示に戻る。
【０００８】
以上説明したように、通常の運用時に表示する方調画面から、一旦プリセット画面１１０の表示に切り替わる。しかしながら、そうすることによって、プリセット画面１１０が表示されている間は、方調画面１００による現在の運用状態の確認を目視により行うことができなくなる。さらに、表示切り替えによる待ち時間が生じることにより、その待ち時間によって、緊急時の運用にとって、緊急操作を行うことの妨げとなる場合がある。
【０００９】
また、名称一覧リストから任意の送信地点を選択するため、登録した名称によっては判断が困難である場合がある。
【００１０】
さらに、送信地点は、移動体に搭載されたように可搬形の送信装置から信号が送信されるたびにその登録されるので、だんだん登録の送信地点データが増える。その結果、上記操作の（２）において、プリセット画面１１０に、名称一覧リストに数十件の送信地点データが表示されてしまうようになると、迅速に選択することが困難となる。
【００１１】
本発明の目的は、地図上に表示された送信地点から希望する送信地点を迅速に選択して受信アンテナの方向調整動作を行うＦＰＵリモコンシステムを提供することにある。
【００１２】
【課題を解決するための手段】
本発明は、指向性を有する信号を受信する受信アンテナの方向をリモートコントロールするＦＰＵリモコンシステムであって、地図と、その地図上に登録された送信地点とを表示し、該送信地点が複数ある場合に該送信地点を絞り込みウインドウで登録内容を検索して絞り込んでから表示し、表示された送信地点から希望する送信地点を選択し、選択された送信地点に応じて前記受信アンテナの方向調整動作を行うことを特徴とする。
【００１３】
【発明の実施の形態】
図１は、本発明に関わる、複数登録された送信地点のうちの一つを選択し、選択された送信地点の方向へ受信アンテナを向けるＦＰＵリモコンシステムの実施の形態を説明する図である。図１において、受信アンテナを方向調整するために、以下の操作が行われる。
【００１４】
（１）方調ボタン４が押下げされると、過去に登録された送信地点の情報である緯度経度情報に応じて、通常の運用画面である方調画面１０の地図２０上に、登録された送信地点が白丸印のアイコンでもって表示される。
【００１５】
ここで、アイコンは、色によって操作する受信アンテナで使用可能であるか否かを区別可能としてもよく、そのアイコンに附属された名称によって、登録されたプリセット名称を確認することができるとしてもよい。
【００１６】
（２）地図２０上に表示された送信地点の白丸印のアイコンが複数ある場合に、ポイント方調ボタン５が押下げされると、地図２０上に表示ポイント絞込みウインドウ３０が表示される。
【００１７】
表示ポイント絞込みウインドウ３０で検索する検索項目は対象データによって異なる。
【００１８】
（３）検索項目の送信点の項目に例えば熊本県玉東町と入力する。その入力された状態で、検索実行ボタン６が押されることで、方調画面１０の地図２０における白丸印のアイコンが絞り込まれて再表示され、上記熊本県玉東町に存在する例えば２つ白丸印のアイコンのみが表示される。
【００１９】
またこのとき、２つ白丸印のアイコンの送信地点名称を示す送信地点リスト４０が表示される。例えば熊本県玉東町１、熊本県玉東町２と表示される。
【００２０】
ここで、送信地点リスト３０は、地図２０と共に表示されるので、送信地点リスト３０の表示に妨げられることなく、方調画面の地図２０による現在の運用状態の確認を目視により行うことが可能である。
【００２１】
（４）送信地点リスト３０、すなわち、所定の地図領域範囲内の送信地点の地点名称リストの中から、送信装置が搭載された移動体が存在し、その送信装置と受信装置とで通信を行おうとしている送信地点を選択する。
【００２２】
このように、地図２０上に表示された複数の白丸印のアイコンが相互に重なり合って表示され、そのうちどのアイコンが選択されるべきアイコンなのかの判別が付けられない恐れがある場合であっても、表示ポイント絞込みウインドウ３０で登録内容を絞り込むことで、送信地点の地点名称リストである送信地点リスト４０に表示される件数を減らすことができ、選択されるべき送信地点を確実かつ容易に選択することができる。
【００２３】
（５）送信地点が選択された状態で、スタートボタン７が押し下げられることで、プリセット方調が開始され、受信アンテナが選択された送信地点の方向へ向くように動かされる。
【００２４】
以上説明したように、本発明によれば、地図２０上の送信地点を選択することによりプリセット方調を行うことが可能となる。さらに、複数の送信地点が存在する場合には、送信地点を絞り込みウインドウ３０で登録内容を検索して絞り込んでから、該当する名称を示す送信地点リスト４０を表示することにより、迅速にプリセット方調を行うことができる。またプリセット方調時の、操作時間を短縮、且つ簡略化し、緊急時等の操作にも迅速に対応可能とする。
【００２５】
【発明の効果】
本発明によれば、地図上に表示された送信地点から希望する送信地点を迅速に選択して受信アンテナの方向調整動作を行うＦＰＵリモコンシステムを得ることができる。
【図面の簡単な説明】
【図１】本発明に関わる、複数登録された送信地点のうちの一つを選択し、選択された送信地点の方向へ受信アンテナを向けるＦＰＵリモコンシステムの実施の形態を説明する図である。
【図２】複数登録された送信地点のうちの一つを選択し、選択された送信地点の方向へ受信アンテナを向ける方法の一例を説明するための図である。
【符号の説明】
１：プリセットボタン、２：方調開始ボタン、３：スタートボタン、４：方調ボタン、５：ポイント方調ボタン、６：検索実行ボタン、７：スタートボタン、１０：方調画面、２０：地図、３０：表示ポイント絞り込みウインドウ、４０：送信地点リスト、１００：方調画面、１１０：プリセット画面、１２０：スタート確認ウインドウ。
【図１】
2004357108.tif 000003
【図２】
2004357108.tif 000004